(57)【特許請求の範囲】
【請求項１】
音伝送開ロが設けられた第１の筐体壁を有する筐体と、
上記筐体内に収容され、上記第１の筐体壁と略平行に延在する印刷回路板と、
前面と背面とを有する電気音響変換器と、
上記印刷回路板と上記変換器とに接続され、上記音伝送開ロが設けられた領域において、上記変換器の上記前面が上記第１の筐体壁に対向するよう上記変換器を上記印刷回路板に固定する保持手段と、
上記変換器の上記前面と上記背面を隔離するよう作用する上記第１の筐体壁と上記変換器との間に配置されたシール手段とを含む装置であって、
上記保持手段は、上記印刷回路板について、上記印刷回路板を横断して延在する方向と平行に可動であるように設けられ、
上記保持手段をバネ荷重によって上記第１の筐体壁に向けて付勢するバネ手段が設けられ、
上記保持手段は、上記バネ手段により上記第１の筐体壁に対して保持され、
上記保持手段は同時に上記シール手段も構成することを特徴とする装置。
【請求項２】
上記バネ手段は、上記印刷回路板上の２つの対応する接点と弾力があるように掛合する、上記変換器の２つの弾性端子接触部により形成されることを特徴とする請求項１記載の装置。
【請求項３】
上記保持手段は、上記印刷回路板を通って延在し、上記印刷回路板の背部で掛合するラッチノーズ部を有する少なくとも２つのラッチフックを有することを特徴とする請求項１記載の装置。
【請求項４】
上記保持手段は、上記変換器を上記保持手段に固定する更なるラッチ手段を有することを特徴とする請求項１記載の装置。
【請求項５】
上記保持手段は、上記第１の筐体壁と平行に延在する上部壁を有し、この上部壁は音を伝送するための少なくとも１つの路を有し、前記上部壁が上記第１の筐体壁に接触して上記シール手段を形成することを特徴とする請求項１記載の装置。
【請求項６】
上記上部壁は、上記変換器によって得られる周波数応答に対する音圧に影響を与えるよう適応される、音を伝送するための複数の路を有することを特徴とする請求項５記載の装置。
【請求項７】
上記保持手段の上記上部壁は、上記保持手段を形成する保持キャップの一部を構成し、
上記保持キャップの周辺境界部は上記ラッチフック及び上記ラッチ手段によって構成されることを特徴とする請求項３乃至５のうちいずれか一項に記載される装置。
【発明の詳細な説明】
【０００１】
本発明は、請求項１の冒頭部に定義される装置に係る。
【０００２】
請求項１の冒頭部に定義されるような装置は、複数の変形を有する商業的に入手可能な移動電話機として既知である。既知の装置では、保持手段は、印刷回路板に固定するよう接続されたポット型保持器により形成され、印刷回路板に隣接するポット底壁と、変換器の端子接触部及び印刷回路板上の接点に接触して掛合するポット底壁の領域にある中間接触部を有する。ポット型保持器は、ポット底壁から第１の筐体壁の方向に突出し、その自由端に、変換器を保持するために変換器と掛合するラッチノーズ部を有するラッチフックを有し、一般的な公差条件に依存して、或る好ましくない公差条件では、第１の筐体壁に置かれ、印刷回路板を第１の筐体壁から遠ざけてしまい、これは好ましくなく、更に第１の筐体壁に置かれない他の好ましくない公差条件では、別のシール手段が設けられない場合は望ましくない空気間隙を生じさせてしまう。シール手段は、空気間隙の形成を排除し、更にラッチフックの間に残されたポット型保持器と第１の筐体壁の間の接線方向の間隙を埋める。このように、既知の装置においては、装着条件は、かなりの程度まで公差に依存しており、変換器の前面と背面を望ましく隔離するには比較的多くの仕事量が必要とされる。これにより比較的大きな仕事量が必要となり、その結果、比較的高価となる。
【０００３】
本発明は、上記の問題を排除し、単純な方法で、単純な手段による改善された装置を提供することを目的とする。
【０００４】
上記の目的を達成するために、本発明では、請求項１に定義される装置は、請求項１の特徴を示す部分に定義される特徴を有する。
【０００５】
本発明による特徴が与えられることにより、第１に、電気音響変換器が本発明の装置の印刷回路板にしっかりと設けられ、第２に、いずれの場合も存在し、シール手段としても使用される保持手段によって、変換器の前面と背面が常に隔離され、それにより正確で再生可能な音響挙動が常に保証され、第３に上記目的のために必要とされる手段はほとんど付加的な費用を必要としないことが、特に単純な方法で、非常に単純な手段によって達成される。
【０００６】
本発明の装置では、別のバネ手段が設けられる場合もある。しかし、いずれの場合も存在する変換器の弾性端子接触部は同時にバネ手段としても使用されるので、請求項２に定義される特徴が更に設けられると有利であることが分かっている。
【０００７】
本発明の装置は、変換器とともに保持手段の印刷回路板への特に単純な装着及び固定、更に容易な取り外しも保証するので、請求項３に定義される特徴が更に設けられると特に有利であることが分かっている。
【０００８】
本発明の装置では、変換器は、例えば接着接合によって保持手段に接続される場合がある。しかし、変換器が保持手段に単純に装着され、更に例えば変換器を取り替えるために変換器を単純な方法で取り外すことが可能となるので請求項４に定義される特徴が更に設けられると有利であることが分かっている。
【０００９】
保持手段は様々な構成を有する場合がある。しかし、実際には保持手段は、請求項５に定義される特徴が設けられると更に有利であることが分かっている。この構成は、簡潔さ及び本発明の装置における変換器の前面と背面の間の最適な隔離の両方に関して有利であることが分かっている。
【００１０】
上部壁を有する保持手段を含む本発明の装置では、上部壁を有する保持手段は周波数応答に対する音圧に影響を与えるために付加的に使用されるので、請求項６に定義される特徴が更に設けられると特に有利であることが分かっている。
【００１１】
本発明の装置は、保持手段によって変換器の高い度合いでの保護が保証されるので、請求項７に定義される特徴が更に設けられると有利であることが分かっている。
【００１２】
本発明の上記及び更なる面は、以下に説明される２つの実施例により明らかになり、更にこの実施例を参照して説明する。
【００１３】
本発明は、２つの実施例を示す図面を参照しより詳細に説明するが、本発明は以下に限られない。
【００１４】
図１及び図２は、装置１の当該部分を示す。装置１はいわゆる移動電話機である。装置１は筐体２を有し、図１及び２では、音伝送開口３が設けられた第１の筐体壁４と、第１の筐体壁４に向けて横方向に延在する第２の筐体壁５を示す。第１の筐体壁４は、第１の筐体壁４から筐体２の内部へ突出する環状突出部６を有する。環状突出部６は肩７を有する。
【００１５】
筐体２は、第１の筐体壁４と平行に延在するよう配置され、図示しない手段によって筐体２内に固定される印刷回路板８を収容する。印刷回路板８は装置１の回路の少なくとも一部を収容する。印刷回路板８は既知の方法で導体トラックが設けられているが、分かりやすくするために図１及び２にはトラックを図示しない。対応する接点である導体トラック部９のみを示す。印刷回路板８は、上記のような接点をそれぞれ構成し、互いに隣接される２つの導体トラック部９を有する。本実施例では２つの導体トラック部９は帯状である。或いは、対応する接点となる導体トラック部は、２つの互いに同軸を有する環状導体トラック部としても形成される。
【００１６】
装置１は電気音響変換器１０を有する。図１及び２に変換器１０を示す。変換器１０は、国際特許出願第９８／３８８３２Ａ１号に開示されるような構成を有する。上記特許に開示される内容は、参考として本発明に組込まれる。変換器１０は前面１１と背面１２を有する。図１及び２では、変換器１０の弾性端子接触部１３を示す。変換器１０は、２つの互いに隣接する、上記のような弾性端子接触部１３を２つ有する。
【００１７】
装置１は更に保持手段１４を含む。変換器１０は保持手段１４に接続される。変換器１０は保持手段１４によって、変換器１０の前面１１が音伝送開口３の領域において第１の筐体壁４に対向するよう印刷回路板１８上に設けられる。
【００１８】
装置１は更に、第１の筐体壁４と変換器１０の間に設けられ、変換器１０の前面１１と変換器１０の背面１２を隔離するよう作用するシール手段１５を有する。シール手段１５によって設けられた隔離については以下に、より詳細に説明する。
【００１９】
装置１では、印刷回路８に接続された保持手段１４は、図１及び２中、二重矢印で示される、印刷回路板８を横断するように延在する方向１６に平行な方向で、印刷回路板８について可動であるように設けられることが有利である。更に、バネ荷重によって保持手段１４を第１の筐体壁４に向けて付勢させるバネ手段１７が有利に設けられる。この構成では、保持手段１４は、バネ手段１７によって第１の筐体壁４、即ち第１の筐体壁４の環状突出部６の肩７の領域に対して保持される。図１及び２から明らかなように、シール手段１５は、環状突出部６の肩７に接触する。この構成により、保持手段１４は同時にシール手段１５ともなり、即ち以下に詳細に説明される保持手段の一部となる。
【００２０】
保持手段１４は、上部壁１８と、上部壁１８から方向１６と平行に突出する短い中空円筒周辺壁１９を有する保持キャップにより構成される。更に、円形スペーサリング２０が、保持手段１４を形成する保持キャップの上部壁１８から方向１６と平行な方向で突出し、変換器１０の前面１１がスペーサリングに接触する。このような方法によって、保持手段１４の上部壁１８、スペーサリング２０及び変換器１０の前面１１は、変換器１０のいわゆる前面ボリュームの不可欠な部分を構成する空間ＳＰを境界付ける。
【００２１】
保持手段１４の上部壁１８は、音を伝送する複数の路２１を有する。本実施例では、４つの上記のような路２１が設けられる。或いは、別の個数も可能である。路２１の直径は、路２１が、変換器１０によって得られる周波数応答に対する音圧に影響を与えるのに好適であるように選択される。路２１は、スペーサリング２０の内側に設けられる。路２１によって、空間ＳＰが一部を構成する変換器１０の前面ボリュームと、保持手段１４の上部壁１８の前にある音響自由空間の間で音響が伝達される。
【００２２】
更に、保持手段１４の上部壁１８はスペーサリング２０の外側に配置された更なる路２２を有する。本実施例では、約５０個の更なる路２２が設けられる。路２２はそれらの直径を適当な寸法にすることによって、変換器１０によって得られる周波数応答に対する音圧に影響を与える。更なる路２２によって、変換器１０のいわゆる背面ボリュームと、保持手段１４の上部壁１８の前にある音響自由間隙の間で音響が伝達される。
【００２３】
保持手段１４を構成する保持キャップは、従って、第１の筐体壁４と平行に延在し、音を伝送するための少なくとも１つの路２１及び２２を有する上部壁１８を有し、上部壁１８は第１の筐体壁４と接触するように適応され、更に、上記シール手段１５の一部を構成し、上記上部壁１８によって構成されるシール手段１５は、変換器１０の前面１１と変換器１０の背面１２を路２１及び２２によって隔離する。
【００２４】
上述の保持手段１４は、バネ手段１７によって第１の筐体壁４に付勢される。本実施例では、バネ手段１７は変換器１０の２つの弾性端子接触部１３により非常に単純且つ有利に形成され、印刷回路板８上の導体トラック部９により形成された上記の接触部に対応する２つの接点と弾力があるように掛合する。
【００２５】
保持手段１４は４つのラッチフック２３を有し、図１及び２にそのうちの２つのラッチフック２３を示す。ラッチフック２３は方向１６に平行して保持手段１４の円筒周辺壁１９から突出し、印刷回路板８の通過孔２４の領域に延在する。保持手段１４は、ラッチフック２３によって、印刷回路板８について方向１６に可動であるように設けられる。ラッチフック２３はラッチノーズ部２５をそれぞれ有し、印刷回路板８の背部で掛合する。
【００２６】
保持手段１４は更に、４つの更なるラッチフック２６により形成される更なるラッチ手段を有し、図１及び２にそのうちの２つのラッチフック２６を示す。更なるラッチフック２６も、方向１６と平行に保持手段１４の周辺壁１９から突出し、自由端においてラッチノーズ部をそれぞれ有する。ラッチフック２６、即ちラッチフック２６のラッチノーズ部２７によって変換器１０は保持手段１４に固定される。各ラッチノーズ部２７に対して、印刷回路板８は通過孔２８を有し、間隙と掛合されうる。
【００２７】
更なるラッチフック２６にスペーサ２９がそれぞれ接続される。たとえ第１の筐体壁４と印刷回路板８の間の間隙が、図２に示されるように許容公差範囲の下限値であっても、スペーサ２９によって変換器１０の背面１２と印刷回路板８の間に、例えば０．１ｍｍの最小間隙が常に保証される。図２に示される状態では、更なるラッチフック２６のラッチノーズ部２７は、印刷回路板８の通過孔２８と掛合する。
【００２８】
保持手段１４の有利な構成により、図１に示される装置１では、変換器１０は常に印刷回路板８に確実に固定され、更に常に変換器１０の前面１１と変換器１０の背面１２が、保持手段１４と保持手段１４の上部壁１８により形成されたシール手段１５によって常に正確に隔離される。その結果、異なる公差条件においても、正確で再生可能な音響挙動が得られる。図１に示されるように本発明の装置１における公差条件が、第１の筐体壁４と印刷回路板８の間の間隙が公差範囲の上限値を有する状態である場合、バネ手段１７は、変換器１０及びスペーサリング２０を介して、保持手段１４が第１の筐体壁４の環状突出部６の肩７に接触し、ラッチノーズ部２５が印刷回路板８に対して掛合することを保証する。しかし、図２に示されるように本発明の装置１における公差条件が、第１の筐体壁４と印刷回路板８の間の間隙が所与の公差範囲の下限値を有する状態である場合、変換器１０は、第１の筐体壁４、即ち、筐体壁４の環状突出部６の肩７によって、保持手段１４とスペーサリング２０を介して、バネ手段２９のバネ荷重に対抗して印刷回路板８まで動かされ、スペーサ２９が印刷回路板と掛合することが保証される。上記２つの両方の場合において、保持手段１４の上部壁１８は第１の筐体壁４の環状突出部６の肩７と接触し、その結果、望ましくない音響漏れがなく、従って変換器１０の前面１１と変換器の背面１２が常に正確に隔離されることが保証される。
【００２９】
図３及び４は、第２の実施例における本発明の装置１を示す。保持手段１４は、等角で配置された３つのラッチフック２３を有し、それぞれラッチノーズ部２４を有する。保持手段１４は更に、等角で配置された３つの更なるラッチフック２６を有し、それぞれラッチノーズ部２７を有する。保持手段は更に等角で配置された３つのスペーサ２９を有する。
【００３０】
図３及び４に示す保持手段１４も保持キャップにより構成され、上部壁１８を有する。しかし、保持手段１４は短い中空円筒周辺壁を有さないが、保持手段１４を形成する保持キャップの周辺境界部がラッチフック２３、更なるラッチフック２６及びスペーサ２９によって構成される。
【００３１】
図３及び４に示される保持手段１４の上部壁１８は、路２１の間にある領域では凹状である。これにより、上部壁１８と、保持手段１４によって設けられた変換器の前面１１の間の間隙、従って、この変換器の前面ボリュームは比較的小さくなり、十分な音響挙動のために有利である。
【００３２】
本発明は、上記された２つの実施例に限られない。本発明の装置は、異なって構成された変換器も含む。更に、別のバネ手段も設けられる場合がある。更に、変換器を固定させるために、ラッチフックの代わりに例えば変換器の前面と保持手段のスペーサリングの間に接着による接合が与えられるなど他の手段が用いられる場合もある。上記説明された本発明による２つの装置はいわゆる移動電話機であるが、本発明の方法は、例えばいわゆるポケットディクテーション録音機のような他の装置においても有利に用いられる。
【図面の簡単な説明】
【図１】  第１の筐体壁と装置の印刷回路板の間の間隙が公差範囲の上限値を有し、電気音響変換器が保持手段によって第１の筐体壁と印刷回路板の間に固定された、本発明の第１の実施例による装置の一部を示す断面図である。
【図２】  第１の筐体壁と印刷回路板の間の間隙が公差範囲の下限値を有する、図１に示す装置と同じ部分を示した、図１と同様の断面図である。
【図３】  本発明の第２の実施例による装置の電気音響変換器のための保持手段を示す断面図である。
【図４】  図３の保持手段を立体的に示す下からの斜視図である。
【図１】
0004264200.tif 000002
【図２】
0004264200.tif 000003
【図３】
0004264200.tif 000004
【図４】
0004264200.tif 000005